(57)【特許請求の範囲】
【請求項１】
電源ＯＮ、電源ＯＦＦ、及び高速な電源ＯＮ状態への遷移が可能な待機状態の少なくとも３つの電源状態を有する映像音声処理装置であって、
映像音声処理装置の電源ＯＮまたはＯＦＦの指示が映像音声処理装置にされたか否かを検出する第１の検出手段と、
外部装置からの信号が映像音声処理装置に入力されているか否かを検出する第２の検出手段と、
映像音声処理装置が電源ＯＮ状態において、前記第１の検出手段で電源ＯＦＦの指示がされたと検出され、かつ前記第２の検出手段で信号が入力されている、または入力されていないと検出された場合には、映像音声処理装置をそれぞれ待機状態、または電源ＯＦＦ状態に遷移させる制御手段と
を備えることを特徴とする映像音声処理装置。
【請求項２】
映像音声処理装置の電源ＯＮ及びＯＦＦ状態に遷移した時刻の学習を行う学習処理手段とをさらに備え、
前記制御手段は、前記第１の検出手段で検出された電源ＯＦＦの指示がされた時刻が、前記学習処理手段で学習された電源ＯＮ時刻から電源ＯＦＦ時刻までの範囲内である場合には、映像音声処理装置を待機状態に遷移させ、範囲外である場合には、映像音声処理装置を電源ＯＦＦ状態に遷移させることを特徴とする、請求項１に記載の映像音声処理装置。
【請求項３】
映像音声処理装置の待機状態とは、電源ＯＮ状態と比較して、電源表示を「切」表示にすること、表示パネルをパワーオフ状態の表示にすること、リモコンや本体の電源ボタン以外のボタンが押されても動作しない状態にすることの少なくともいずれか１つを含む状態であることを特徴とする、請求項１に記載の映像音声処理装置。
【請求項４】
映像音声処理装置と外部装置との通信は、シリアル通信、赤外線通信、ＨＤＭＩ、ＩＥＥＥ１３９４、イーサーネット、無線通信、電力線通信、及び同軸ケーブル通信のいずれかであることを特徴とする、請求項１に記載の映像音声処理装置。
【請求項５】
電源ＯＮ、電源ＯＦＦ、及び高速な電源ＯＮ状態への遷移が可能な待機状態の少なくとも３つの電源状態を有する映像音声処理装置の電源制御方法であって、
外部装置からの信号が映像音声処理装置に入力されているか否かを検出する第１の検出ステップと、
映像音声処理装置の電源ＯＮまたはＯＦＦの指示が映像音声処理装置にされたか否かを検出する第２の検出ステップと、
映像音声処理装置が電源ＯＮ状態において、前記第２の検出ステップで電源ＯＦＦの指示がされたと検出され、かつ前記第１の検出ステップで信号が入力されている、または入力されていないと検出された場合には、映像音声処理装置をそれぞれ待機状態、または電源ＯＦＦ状態に遷移させる遷移ステップと
を有することを特徴とする電源制御方法。
【発明の詳細な説明】
【技術分野】
【０００１】
本発明は、テレビ放送の予約録画機能を有するハードディスクレコーダやＤＶＤレコーダ等の映像音声処理装置に関する。
【背景技術】
【０００２】
近年、デジタル技術を搭載した家電製品の普及がめざましい。その中でも特にハードディスク付きのＤＶＤ（Digital Versatile Disc）レコーダは急速に普及してきており、新規に参入するメーカも増えてきている。最近はＤＶＤレコーダの多機能化が加速し、システムの処理内容もパソコンと同等の複雑なものが要求され、消費電力も増加の傾向にある。しかしながら、一方でこうした家電機器において地球環境への配慮もまた求められており、機器が消費する電力を抑える必要性がますます高まってきている。
【０００３】
従来のＤＶＤレコーダの例として例えば特許文献１に開示のものがある。この例では、主に記録再生処理を行うためのメインＣＰＵを含むＰＶＲ部と、ＤＶＤ記録媒体への読み書きを行うＤＶＤ部と、ＰＶＲ部およびＤＶＤ部への電源供給を制御するサブＣＰＵと、予約録画機能を実現するための時刻をカウントするためのリアルタイムクロック（以下「ＲＴＣ」と称す。）とから構成されている。ＤＶＤレコーダが予約待機状態（録画すべき番組の予約内容を保持した状態で予約開始時刻まで待機する状態）のとき、メインＣＰＵを含むＰＶＲ部やＤＶＤ部への電源供給は行われず、これにより予約待機状態での消費電力を低減できる。
【特許文献１】特開２００４−１２０３６５号公報
【発明の開示】
【発明が解決しようとする課題】
【０００４】
しかし、前述のような構成では、例えばユーザがリモコンまたは本体の電源ボタンを押下する操作を行うことでＤＶＤレコーダの起動を行うと、起動に数秒から数十秒程度の時間がかかってしまうという問題がある。これはＤＶＤレコーダのシステムプログラムをシステムのメインＣＰＵのメモリへロードする処理や、ＨＤＤ（ハードディスク）またはＤＶＤドライブを起動する処理に多くの時間を費やしてしまうためである。そこで、起動時間を高速にするために、全てのブロックに常時電源を投入しておくことが考えられるが、この場合、通電時間及び通電部位が増加することから、待機中の消費電力が大きくなってしまうという問題がある。
【０００５】
本発明は上記課題を解決すべくなされたものであり、その目的とするところは、待機中の消費電力の低減を可能とする映像音声処理装置を提供することにある。
【課題を解決するための手段】
【０００６】
本発明の第１の態様において、映像及び／又は音声を処理する映像音声処理装置が提供される。電源ＯＮ、電源ＯＦＦ、及び高速な電源ＯＮ状態への遷移が可能な待機状態の少なくとも３つの電源状態を有する映像音声処理装置であって、外部装置から映像音声処理装置に信号が入力されているか否かを検出する第１の検出手段と、映像音声処理装置の電源ＯＮまたはＯＦＦの指示が映像音声処理装置にされたか否かを検出する第２の検出手段と、映像音声処理装置が電源ＯＮ状態において、第２の検出手段で電源ＯＦＦの指示がされたと検出され、かつ第１の検出手段で信号が入力されている、または入力されていないと検出された場合には、映像音声処理装置をそれぞれ待機状態、または電源ＯＦＦ状態に遷移させる制御手段とを備える。
【０００７】
本発明の第２の態様において、電源制御方法が提供される。  電源ＯＮ、電源ＯＦＦ、及び高速な電源ＯＮ状態への遷移が可能な待機状態の少なくとも３つの電源状態を有する映像音声処理装置の電源制御方法であって、外部装置から映像音声処理装置に信号が入力されているか否かを検出する第１の検出ステップと、映像音声処理装置の電源ＯＮまたはＯＦＦの指示が映像音声処理装置にされたか否かを検出する第２の検出ステップと、映像音声処理装置が電源ＯＮ状態において、第２の検出ステップで電源ＯＦＦの指示がされたと検出され、かつ第１の検出ステップで信号が入力されている、または入力されていないと検出された場合には、映像音声処理装置をそれぞれ待機状態、または電源ＯＦＦ状態に遷移させる遷移ステップとを有する。
【発明の効果】
【０００８】
本発明によれば、電源「切」状態での待機モードとして、第１の待機モード（通常の電源「切」状態に維持する動作モード）とは別に、第１の待機モードよりも消費電力が大きい第２の待機モード（「見た目パワーオフ」状態に維持する動作モード）を用意し、第１及び第２の待機モードの切り替えを、例えば、外部機器に連動させて遷移させることにより、待機中の消費電力を低減させることができる。
【発明を実施するための最良の形態】
【０００９】
以下、添付の図面を参照して、本発明の実施の形態について説明する。なお、以下の各実施の形態においては、映像信号及び／又は音声信号を処理する映像音声処理装置（ＡＶ機器）の例として記録再生装置を取り上げて説明する。
【００１０】
以下の各実施の形態の説明において、電源「入」状態とは、機器に対して通常動作のために電源が完全に供給されている状態をいい、電源「切」状態とは、リモコンからの信号を受信するため等の最低限の電源が供給されている待機状態をいう。また、「パワーオン」、「パワーオフ」とは、ユーザから見た機器の電源状態またはユーザの操作を意味するものとする。また、本発明において、機器の「第１の待機モード」とは、電源「切」状態を意味し、「第２の待機モード」とは、「見た目パワーオフ」状態（詳細は後述）を意味する。ユーザから見た場合、このどちらの状態も機器の電源オフの状態である。
【００１１】
（実施の形態１）
以下、本発明の実施の形態１について説明する。なお、外部機器としてテレビ装置を例として説明する。図１は、本発明の実施の形態１の記録再生装置における電源制御系を中心としたシステム全体の構成図である。
【００１２】
１．  システム構成
記録再生装置１において、メインコントローラ２は、記録再生装置１における録画や再生の処理など記録再生装置として主要な処理を行う。タイマコントローラ３は、メインコントローラ２に対する電源制御やリモコン信号の受信、および予約録画などのための時計処理を行う。外部入力部３１は、外部の映像信号または音声信号をタイマコントローラ３に入力するための手段である。ＩＲ入力部３２は、リモコンなどの赤外線信号（以下「ＩＲ信号」と称す。）をタイマコントローラ３に入力する。
【００１３】
電源部４は、商用電源のＡＣ１００Ｖからタイマコントローラ３やメインコントローラ２などへ直流の電源を供給する。スイッチ５は、タイマコントローラ３からの指示でメインコントローラ２への電源の供給／停止を制御する。電池６は、電源部４が停電などでタイマコントローラ３へ電源の供給が不可能となった場合にその代替として、タイマコントローラ３へ電源を供給する。ハードディスク装置（以下「ＨＤＤ」と称す。）７は、メインコントローラ２からの制御により、録画番組の蓄積および再生を行う。ＤＶＤドライブ８は、メインコントローラ２からの制御により、ＨＤＤ７上に蓄積された録画番組をＤＶＤメディアにダビングしたり、ＤＶＤメディア上に記録された番組の再生を行う。チューナ９は、アンテナ（図示せず）から入力した放送波を受信し、所望のチャンネルを選局してその映像音声信号をメインコントローラ２に出力する。通信手段１０は、タイマコントローラ３とメインコントローラ２とが互いに通信するための手段である。
【００１４】
記録再生装置１はテレビ装置１１に接続する。テレビ装置１１は、アンテナ（図示せず）から入力した放送波を受信し、所望のチャンネルに選局してその映像信号及び音声信号を再生する。
【００１５】
また、テレビ装置１１は、現在選局中の映像信号及び音声信号を出力するモニタ出力部１１１を備える。モニタ出力部１１１は記録再生装置１の外部入力部３１に接続されているため、外部入力部３１にはテレビ装置１１から映像信号及び音声信号が入力される。また、テレビ装置１１は、記録再生装置１からの映像信号及び音声信号を入力するためのビデオ入力部１１２を備える。さらに、テレビ装置１１は、記録再生装置１の制御を行うためのＩＲ信号を出力するためのＩＲ出力部１１３を備える。
【００１６】
リモコン１２は、ＩＲ信号により記録再生装置１の制御を行う。リモコン１２は、テレビ装置１１の制御も可能とする。
【００１７】
１．１  メインコントローラ
図２を参照し、メインコントローラ２の詳細な構成について説明する。メインコントローラ２において、メインＣＰＵ２０１はメインプログラムを実行することにより、メインコントローラ２内の各処理部を制御する。また、メインＣＰＵ２０１は通信手段１０に接続し、タイマコントローラ３との間で通信を行う。
【００１８】
ＮＶＲＡＭ２０４は、メインＣＰＵ２０１上で実行されるメインプログラムを格納する。また、ＮＶＲＡＭ２０４は、記録再生装置の動作に必要な管理情報や、初期設定情報など更新が必要な情報も格納する。なお、ＮＶＲＡＭ２０４は例えばフラッシュメモリで構成できる。
【００１９】
ＲＡＭ２０３は、メインＣＰＵ２０１がソフトウェア処理を実行するためのワークメモリとして使用される。ＮＶＲＡＭ２０４に格納されているメインプログラムをＲＡＭ２０３上にロードすることにより、メインＣＰＵ２０１のソフトウェアの実行処理速度を向上させる。また、ＲＡＭ２０３は、後述のストリーム制御部２０７において入出力されるストリームデータのバッファメモリとしても使用される。
【００２０】
ＲＯＭ２０２は、メインＣＰＵ２０１をブートするとともに、ＮＶＲＡＭ２０４に格納されているメインプログラムをＲＡＭ２０３へロードするために必要な最小限の処理を実行するプログラムを格納している。
【００２１】
デジタル変換部２０６は、チューナ９から出力されるアナログの映像信号及び音声信号を各々デジタル信号に変換する。エンコーダ２０５は、デジタル変換された映像信号および音声信号を各々圧縮し、映像と音声が多重化されたストリームとして出力する。ストリーム制御部２０７は、圧縮されたストリームをＨＤＤ７に記録する。また、ストリーム制御部２０７は、ＨＤＤ７およびＤＶＤドライブ８に記録されたストリームを読み出す。またストリーム制御部２０７は、ＨＤＤ上７に蓄積されたストリームをＤＶＤドライブ８に複製または移動することも可能である。デコーダ２０８は、ストリーム制御部２０７から読み出されたストリームデータを展開し、伸長されたデジタルの映像信号と音声信号を出力する。
【００２２】
出力部２０９は、メインＣＰＵ２０１で作成されたグラフィクスデータと、デコーダ２０８からの出力とを合成する。また出力部２０９は、合成したデジタルの映像音声信号をアナログ信号に変換し、テレビ装置１１のビデオ入力部１１２へ出力する。テレビ装置１１は、ビデオ入力部１１２を介して受信した入力映像を画面に表示し、音声を出力する。
【００２３】
以上のようなメインコントローラ２の構成により、チューナ９で受信した映像音声信号は、デジタルで圧縮されたストリームとしてＨＤＤ７に蓄積し、またＨＤＤ７やＤＶＤドライブ８に記録されているストリームの再生および、メニューや操作画面の表示、また、ＨＤＤ７からＤＶＤドライブ８へのストリームのダビング処理等の記録再生装置として基本的な機能を実現することができる。
【００２４】
なお、本実施の形態の構成において、圧縮されたストリームデータを直接ＤＶＤドライブ８へ記録することも可能である。また、ＤＶＤドライブ８の代わりにＢＤ（Blu-ray Disc:ブルーレイディスク）に対してデータを記録、再生する装置を用いてもよい。
【００２５】
２．  記録再生装置の電源状態
本実施形態の記録再生装置１は電源に関して以下の状態に制御され得る。
電源「入」状態：記録再生装置に対して、通常動作のために電源が完全に供給されている状態。
電源「切」状態：記録再生装置に対して、リモコンからの信号を受信する等の最低限の電源が供給されている状態。
見た目パワーオフ状態：記録再生装置に対して、ユーザから見た場合に電源がオフされているように見えるが、記録再生装置においては、電源「入」状態と同様に完全に電源が供給されている状態。
見た目パワーオン状態：記録再生装置が電源「入」の状態に見える状態。外部機器に対して出力部２０９を介して映像信号は出力されるが、メインコントローラ１のブート処理や、ＨＤＤ７およびＤＶＤドライブ８の起動処理は行われない。
【００２６】
見た目パワーオフ状態では、上述のとおり、通常の電源「入」状態と同様に記録再生装置において完全に電源が供給されている。但し、この状態では、記録再生装置１の出力部２０９から外部の機器に対して映像信号、音声信号の出力は行わない。よって、テレビ装置１１では映像、音声が出力されず、ユーザから見ると、記録再生装置の電源がオフされているように見える。
【００２７】
すなわち、図３に示すように、本実施形態の記録再生装置１では、記録再生装置１が電源「切」状態にあるときは、見た目パワーオフ状態または電源「入」状態に遷移することができ、記録再生装置１が電源「入」状態にあるときは、見た目パワーオフ状態または電源「切」状態に遷移することができる。
【００２８】
より具体的には、記録再生装置１が電源「入」の状態であり、記録再生装置１に接続するテレビ装置１１が電源「入」の状態であるときに、記録再生装置１に対してユーザによるパワーオフの操作があったきには、記録再生装置１は「見た目パワーオフ」に遷移する。一方、記録再生装置１が電源「入」の状態であり、テレビ装置１１が電源「切」の状態にあるときに、記録再生装置１に対してユーザによるパワーオフの操作があったきには、記録再生装置１は電源「切」の状態に遷移する。記録再生装置１の電源「切」の状態では、待機電力は従来の記録再生装置と同程度に抑えることが可能である。
【００２９】
また、記録再生装置１が電源「切」の状態にあり、テレビ装置１１が電源「切」から電源「入」に遷移したときに、記録再生装置１は見た目パワーオフの状態へ遷移する。記録再生装置１が電源「切」の状態にあり、記録再生装置１に対してユーザによるパワーオンの操作があったきには、電源「入」の状態に遷移する。これは従来と同様である。
【００３０】
記録再生装置１が見た目パワーオフ状態にある場合、テレビ装置１１が電源「入」から電源「切」に遷移したときは、記録再生装置１は電源「切」の状態へ遷移する。記録再生装置１が見た目パワーオフ状態にある場合で、記録再生装置１に対してユーザによるパワーオンの操作があったきは、記録再生装置１は電源「入」の状態に遷移する。このとき、高速なパワーオン動作を実現できる。
【００３１】
３．  記録再生装置の動作
以上のように構成される記録再生装置１の動作を説明する。
【００３２】
３．１  通常のパワーオン処理
最初に、記録再生装置１が電源「切」状態から電源「入」状態へ遷移する際の通常のパワーオン処理について図４を参照して説明する。
【００３３】
記録再生装置１の電源「切」状態において、リモコン１２または記録再生装置本体の電源ボタンが押下されると、ＩＲ入力部３２へパワー信号が送信される。記録再生装置１が電源「切」状態であるため、ＩＲ入力部３２は、パワー信号をパワーオン信号として受信する（Ｓ１）。タイマコントローラ３は、パワーオン信号に基づきスイッチ５をオンにする（Ｓ２）。スイッチ５がオンすることで、電源部４からの電源がメインコントローラ２に供給される。
【００３４】
その後、メインコントローラ２のブート処理が実行される（Ｓ３）。具体的には、スイッチ５がオンになると、メインコントローラ２に電源が供給され、メインコントローラ２のブートを開始する（Ｓ３０１）。同時にＨＤＤ７も起動し（Ｓ３０２）、ＤＶＤドライブ８も起動する（Ｓ３０３）。
【００３５】
ＨＤＤ７の起動では、ＨＤＤ７へ電源を供給し、ディスクをスピンアップ状態にする。そして、記録再生装置としてディスクの管理情報などを読み込む等の処理を行う。ＤＶＤドライブ８にも電源を供給し、ＤＶＤドライブ８にディスクが挿入されている場合はスピンアップ状態にし、記録再生装置としてディスクの管理情報（ディスクの種別も含む）等の読み込み処理等を行う。ディスクが挿入されていない場合は、電源供給とドライブの初期化処理のみが実行される。
【００３６】
その後、メインコントローラ２がブートし、ＮＶＲＡＭ２０４からＲＡＭ２０３へロードされたメインプログラムが実行され、メインコントローラ２のパワーオン処理が実行される。パワーオン処理とは、例えばメインプログラムがパワーオン状態として内部状態が管理されるように状態を遷移させたり、チューナ９の映像音声を出力部２０９に出力し、テレビ装置１１に記録再生装置１の起動状態を表示させたりする処理である。また、記録再生装置本体に表示パネルを設け、その表示パネル上に電源「入」状態であることを表示してもよい。
【００３７】
パワーオン処理が完了すると、メインコントローラ２は、タイマコントローラ３へブート完了通知を行う（Ｓ３０４）。これにより記録再生装置１は電源「入」の状態になる。
【００３８】
以上説明したように、本実施の形態において、通常のパワーオン処理では、メインコントローラ２のブート処理のために、メインプログラムをＮＶＲＡＭ２０４からＲＡＭ２０２へ転送する必要があるため、転送処理に時間がかかってしまう。もしＮＶＲＡＭ２０４から直接的にプログラムを実行しようとした場合、メインＣＰＵ２０１からのＮＶＲＡＭ２０４へのアクセスに時間がかかり、プログラムの実行処理速度が非常に低下してしまう。このため、ＮＶＲＡＭ２０４からＲＡＭ２０２へのプログラムの転送処理は、ＣＰＵの性能確保上、どうしても必要な処理である。また、本実施の形態において、メインプログラムの起動処理においても、オペレーティングシステムの起動時間や、ドライバおよびミドルウエアの初期化に時間がかかってしまう。また、本実施の形態において、ＨＤＤ起動処理やＤＶＤドライブ起動処理に時間を要するため、システム全体として、通常のパワーオンシーケンスにおいて、電源「切」の状態から電源「入」の状態に遷移するまでに非常に時間を費やしてしまう。上記のような処理時間の問題を解決するため、本実施の形態においては、見た目パワーオフ状態を設け、高速なパワーオン処理を実現している。その詳細は後述する。
【００３９】
３．２  パワーオフ処理
パワーオフ処理について図５を参照して説明する。前述のように、記録再生装置１の電源「入」状態において、ユーザからパワーオフの操作があったときは、記録再生装置１は、テレビ装置１１の電源状態に応じて、”電源「切」”又は”見た目パワーオフ”のいずれかの状態に遷移する。
【００４０】
図５において、電源「入」の状態において、リモコン１２または記録再生装置本体の電源ボタンが押下されると、ＩＲ入力部３２へパワー信号が送信される。記録再生装置１は電源「入」状態のため、ＩＲ入力部３２はパワー信号を”パワーオフ信号”として受信する（Ｓ１０）。次にタイマコントローラ３は、通常のパワーオフ処理をすべきかどうか判断するために、外部入力部３１において入力信号の有無を検出する（Ｓ１１）。外部入力部３１にはテレビ装置１１からの映像信号および音声信号が入力されているので、テレビ装置１１が電源「切」の状態にある場合、外部入力部３１において入力信号は検出されない。
【００４１】
外部入力部３１で映像信号および音声信号の入力が検出されなかった場合、すなわち、テレビ装置１１が電源「切」の状態である場合（Ｓ１２でＮＯ）、メインコントローラ２へパワーオフ通知を行う（Ｓ１３）。そして、メインコントローラ２のシャットダウン処理を実行する（Ｓ１４）。具体的には、タイマコントローラ３からパワーオフ通知を受け取ると、メインコントローラ２はシャットダウンを開始する（Ｓ１４１）。まずＨＤＤ７上にオープン中のファイル等が存在する場合、必要な情報を退避または書き込み処理をしたあとクローズする。またディスクの管理情報を更新したり、記録再生装置１の管理情報をＮＶＲＡＭ２０４に書き込んだりする。その後、ＨＤＤ７をスピンダウンさせ、ＨＤＤ７への電源供給を停止する（Ｓ１４２）。次に、ＤＶＤドライブ８にディスクが挿入されている場合、オープン中のファイル等が存在する場合、必要な情報を退避または書き込み処理をしたあとクローズする。またディスクの管理情報を更新したりする。その後、ＤＶＤドライブ８をスピンダウンさせ、ＤＶＤドライブ８への電源供給を停止する（Ｓ１４３）。ＤＶＤドライブ８にディスクが挿入されていない場合は単にＤＶＤドライブ８への電源供給を停止すればよい。
【００４２】
そして、メインコントローラ２はパワーオフ処理を行う。パワーオフ処理とは、例えばメインプログラムが、パワーオフ状態として内部状態が管理されるように状態を遷移させたり、出力部２０９の映像や音声にミュートを書けたりする処理である。また、記録再生装置本体に表示パネルを設け、表示パネルに電源「切」状態であることを表示してもよい。パワーオフ処理が完了すると、メインコントローラ２は、タイマコントローラ３へシャットダウン完了通知を行う（Ｓ１４４）。これを受けてタイマコントローラ３はスイッチ５をオフする（Ｓ１４）。これによりメインコントローラ２への電源供給が遮断される。以上の手順により、本発明の記録再生装置は電源「切」の状態となるものである。
【００４３】
一方、ステップＳ１２において、外部入力部３１で映像信号および音声信号の入力が検出された場合、すなわちテレビ装置１１が電源「入」の状態である場合（Ｓ１２でＹＥＳ）、タイマコントローラ３はメインコントローラ２へ「見た目パワーオフ」の通知を行う（Ｓ１６）。これによりメインコントローラ２は「見た目パワーオフ」処理を行う（Ｓ１７）。「見た目パワーオフ」処理とは、ユーザから見た目だけパワーオフに見せる処理で、電源表示を「切」表示にしたり、記録再生装置の本体の表示パネルをパワーオフ状態の表示にしたり、また、リモコンや本体の電源ボタン以外のボタンが押されても動作しないような状態にする処理のことである。これにより記録再生装置１は「見た目パワーオフ」状態となる。
【００４４】
以上のように、記録再生装置１は、ユーザによりパワーオフ操作がなされた場合、テレビ装置１１が電源「切」の状態にある場合は、電源「切」の状態に遷移し、一方、テレビ装置１１が電源「入」の状態にある場合は、「見た目パワーオフ」状態に遷移する。記録再生装置１を「見た目パワーオフ」状態に遷移させることで、その後のユーザによるパワーオン操作に基づく、記録再生装置１の高速なパワーオン処理を実現できる。
【００４５】
３．３  電源「切」状態から「見た目パワーオフ」状態への遷移
記録再生装置１の電源「切」状態から「見た目パワーオフ」状態への遷移について図６を参照して説明する。このように遷移させる目的は、テレビ装置１１が電源「入」である場合は、高速なパワーオン処理が可能な「見た目パワーオフ」状態に遷移させるためである。ここで「見た目パワーオフ」状態とは、文字通り、ユーザからは「パワーオフ」のように見えつつ、記録再生装置１内部の電源供給状態がほぼ電源「入」時の状態に近い状態を意味する。
【００４６】
タイマコントローラ３は、記録再生装置１の外部入力部３１においてテレビ装置１１のモニタ出力部１１１から信号が入力されたか否かを検出する（Ｓ４０）。テレビ装置１１が電源「切」から電源「入」の状態に切り替わると、モニタ出力部１１１から、テレビのチューナ等から受信した映像および音声信号が出力され始める。外部入力部３１で、テレビ装置１１のモニタ出力部１１１からの信号の入力が検出されると（Ｓ４０でＹＥＳ）、タイマコントローラ３はスイッチ５をオンにする（Ｓ４１）。これによりメインコントローラ２に電源が供給されてメインコントローラ２のブートが開始する（Ｓ４２）。メインコントローラ２のブート処理については前述のとおりである。メインコントローラ２のブート処理の完了後、メインコントローラ２へ「見た目パワーオフ」の通知を行う（Ｓ４３）。メインコントローラ２は、その通知を受信すると「見た目パワーオフ」処理を行う（Ｓ４４）。「見た目パワーオフ」処理については前述のとおりである。これにより記録再生装置１は、「見た目パワーオフ」状態になる。
【００４７】
３．４  「見た目パワーオフ」状態から電源「入」状態への遷移
記録再生装置１の「見た目パワーオフ」状態から電源「入」状態への遷移について図７を参照して説明する。
【００４８】
「見た目パワーオフ」状態において、リモコン１２または記録再生装置本体の電源ボタンが押下されると、パワー信号がＩＲ入力部３２へ送信される。ＩＲ入力部３２は、現在の状態が「見た目パワーオフ」の状態であるので、パワー信号をパワーオン信号として受信する（Ｓ５０）。タイマコントローラ３は、メインコントローラ２へパワーオンの通知を行う（Ｓ５１）。これによりメインコントローラ２は、「見た目パワーオン」処理を実行する（Ｓ５２）。「見た目パワーオン」処理とは、ユーザから「見た目パワーオフ」の状態から通常の電源「入」の状態に見せるための処理であり、電源表示を「入」表示にしたり、記録再生装置本体の表示パネルにパワーオン状態を示す表示を表示したりする処理である。また、リモコン１２や記録再生装置本体の電源ボタン以外の各種ボタンも受け付ける状態にし、さらにチューナ９からの映像、音声信号を出力部２０９に出力し、表示パネルに起動状態を表示させたりする処理等が含まれる。但し、メインコントローラ１のブート処理や、ＨＤＤ７およびＤＶＤドライブ８の起動処理は行われない。これにより記録再生装置１は電源「入」の状態になる。
【００４９】
以上説明したように本実施の形態において、「見た目パワーオフ」状態から電源「入」状態への遷移処理については、通常のパワーオン処理のように、メインコントローラ１のブート処理やＨＤＤ７およびＤＶＤドライブ８の起動処理を行わないため、起動時間が大幅に短縮できる。すなわちリモコン１２または記録再生装置本体の電源ボタンが押下されると、瞬時に電源「入」の状態にすることが可能である。
【００５０】
３．５  「見た目パワーオフ」状態から電源「切」状態への遷移
「見た目パワーオフ」状態から電源「切」状態への遷移について図８を参照して説明する。テレビ装置１１が電源「入」から電源「切」の状態になった場合、記録再生装置１は高速なパワーオン処理が可能な状態（見た目パワーオフ状態）を維持するよりも、待機電力の抑制をより重視し、通常の電源「切」の状態に遷移させる。高速なパワーオン処理が可能な状態を維持する必要がない理由は、ユーザの意思に基づきテレビ装置１１がパワーオフされた場合、その後しばらくは、記録再生装置１がパワーオンされることはないであろうと予想されるからである。
【００５１】
テレビ装置１１の電源が「入」の状態から「切」の状態に変化した場合、モニタ出力部１１１から信号が出力されなくなるため、記録再生装置１の外部入力部３１での入力信号は検出されなくなる。記録再生装置１の「見た目パワーオフ」状態において、タイマコントローラ３は、外部入力部３１での入力信号が検出されないと判定すると（Ｓ６０）、メインコントローラ２へパワーオフ通知を行う（Ｓ６１）。これによりメインコントローラ２はシャットダウン処理を行う（Ｓ６２）。この処理は、先述した図５のステップＳ１３の処理と同様である。タイマコントローラ３は、メインコントローラ２からシャットダウン完了通知を受けると、スイッチ５をオフする（Ｓ６３）。これによりメインコントローラ２への電源供給が遮断され、記録再生装置１は電源「切」状態となる。
【００５２】
３．６  予約録画時の動作
本実施形態の記録再生装置１の予約録画が設定された時の動作について以下に説明する。記録再生装置１には、予約録画情報として、予約録画開始時刻、予約録画終了時刻、録画すべき番組に関する情報が設定済みであるとする。
【００５３】
３．６．１  予約録画開始時の動作
記録再生装置１が電源「切」の状態において予約録画を開始するための処理について図９を参照して説明する。
【００５４】
記録再生装置１が電源「切」の状態において、タイマコントローラ３は常時、予約開始時刻前判定を行う（Ｓ２０）。この予約開始時刻前判定では、現在時刻（判定時点）が予約録画開始時刻の直前であるかを判定する。具体的には、現在時刻が予約録画開始時刻前の所定時刻に到達したか否かを判定する。例えば、現在時刻が、予約録画開始時刻の１分前に到達したか否かを判定する。
【００５５】
予約録画開始時刻前の所定時刻に達していた場合、録画開始のための起動処理を行う。この起動処理では、最初に、タイマコントローラ３はスイッチ５をオンする（Ｓ２１）。これによりメインコントローラ２に電源が供給されてメインコントローラ２のブートが開始する。次に、メインコントローラ２のブート処理を行う（Ｓ２２）。その内容は先述の図４中のステップＳ３と同様である。メインコントローラ２のブート処理の完了後、タイマコントローラ３はメインコントローラ２へ録画開始命令を通知する（Ｓ２３）。これにより、メインコントローラ２は予約録画を開始する。
【００５６】
３．６．２  予約録画終了時の動作
記録再生装置１が予約録画動作実行中の状態において予約録画動作を終了し、電源「切」の状態になるまでの処理について図１０を参照して説明する。
【００５７】
タイマコントローラ３は予約録画動作中、常時、予約終了時刻判定を行う（Ｓ３０）。この予約終了時刻判定では、現在時刻（判定時点）において予約録画終了時刻に到達したか否かを判定する。なお、予約録画終了時刻は、予約録画実行中であっても、野球延長などにより延長されたと判定された場合、延長されることも可能である。現在時刻が予約録画終了時刻に到達した場合は、メインコントローラ２へ録画停止命令を出す（Ｓ３１）。メインコントローラ２は、録画停止命令を受理すると録画停止処理を行う。録画停止処理が完了すると、メインコントローラ２はタイマコントローラ３へ録画停止完了を通知する。タイマコントローラ３は、メインコントローラ２から録画停止完了を受信する（Ｓ３２）。
【００５８】
次に、メインコントローラ２は複数の予約内容から次に予約録画すべき予約内容を検索し、その予約録画開始時刻をタイマコントローラ３へ通知する。タイマコントローラ３は、メインコントローラ２から次の予約録画開始時刻を受信する（Ｓ３３）。その後、タイマコントローラ３はメインコントローラ２へパワーオフ通知を行う（Ｓ３４）。メインコントローラ２は、タイマコントローラ３からのパワーオフ通知により、メインコントローラ２のシャットダウン処理を行う（Ｓ３５）。この処理は、先述した図５のステップＳ１４の処理と同様である。メインコントローラ２からシャットダウン完了通知を受理したタイマコントローラ３は、スイッチ５をオフする（Ｓ３６）。これによりメインコントローラ２への電源供給が遮断され、電源「切」状態となる。
【００５９】
４．  効果
以上説明したように、本実施の形態１の記録再生装置は、テレビ装置の電源が「入」の状態で記録再生装置１をパワーオフしたときは、「見た目パワーオフ」状態に制御され、その後の高速なパワーオン動作を可能とし、また、テレビ装置の電源が「切」の状態で記録再生装置１をパワーオフしたときは、電源「切」の状態に制御され、待機電力を低く抑えることが可能である。
【００６０】
例えば、消費電力を待機時３．２ワット、電源「入」時２７ワットである、パワーオン動作が高速でない従来の記録再生装置を考える。その記録再生装置を高速なパワーオン動作に対応させるために、常時「見た目パワーオフ」状態（すなわち常時電源「入」の消費電力を消費する状態）とした場合、消費電力は２７ワットとなる。
【００６１】
これに対し本実施形態の記録再生装置１において、例えばテレビの１日の視聴時間を４時間とし、１日のうち約４時間だけ２７ワットの消費電力を消費し、残りの２０時間の非視聴時間における消費電力は３．２ワットとすると、１日の平均の消費電力は約７．２ワットとなる。つまり従来高速なパワーオン動作を実施することにより消費電力が２７ワットとなってしまうところが、本実施の形態によれば７．２ワットに抑えるとこが可能である。
【００６２】
このようにテレビ装置１１の電源状態に依存して、記録再生装置１の動作（状態遷移）を変更する理由は、記録再生装置１を使用する場合、ユーザは通常必ずテレビ装置１１を使用すると考えられるからである。記録再生装置１は表示部をもたないため、テレビ装置１１がなければ設定等のための画面表示をできない。このため、予約録画動作を除き、記録再生装置１を使用する場合、ユーザは通常必ずテレビ装置１１を使用する。したがってユーザが記録再生装置１を使用する際に、テレビ装置１１と記録再生装置１の双方が電源「切」であった場合、ユーザは最初にテレビ装置１１の電源を投入するものと考えられる。よって、テレビ装置１１の電源が「入」になった直後を除き、本実施形態の記録再生装置１の電源投入は高速な起動を期待することができる。
【００６３】
テレビ装置１１の電源投入直後は、記録再生装置１は高速な起動は期待できない。しかし、テレビ装置１１よりも高速に起動できても、テレビ装置１１で表示がされなければあまりメリットはないので、テレビ装置１１よりも高速に起動する必要性はない。また、テレビ装置１１の使用時間は通常、記録再生装置１よりも多いため、記録再生装置１の使用にあたって、ユーザが記録装置１をパワーオンする時点において、テレビ装置１１の電源が「切」である確率よりもテレビ装置１１の電源が「入り」である確率のほうが高いと考えられる。つまり、記録装置１のパワーオン時、記録再生装置１とテレビ装置１１の双方の電源が「切」である頻度は、記録再生装置１のみが電源「切」である頻度よりも少ないと考えられる。
【００６４】
以上の点から、本実施の形態によれば、ユーザは多くの場合、記録再生装置１を高速に起動することができる。また、記録再生装置１は、起動時間を高速にするために常時全ての処理部に電源を投入しておくわけではなく、テレビ装置１１が「切」であれば、通常の待機状態の電力で済むため、待機中の消費電力（待機電力）の著しい増加も抑えることができる。
【００６５】
５．  変形例
本実施の形態において、外部入力部３１は、映像および音声の信号を入力するとして説明したが、映像または音声のいずれか一方であってもよい。
【００６６】
また、本実施の形態において、ＨＤＤ７およびＤＶＤドライブ８の起動を、電源「切」から「見た目パワーオフ」への遷移時における、メインコントローラ２のブート処理（図６のステップＳ４２参照）で実施すると説明した。しかし、ＨＤＤ７およびＤＶＤドライブ８の起動をメインコントローラ２のブート処理で行わないで、「見た目パワーオフ」状態から電源「入」に遷移する処理の中の「見た目パワーオン処理」（図７のステップＳ５２）で実施してもよい。その場合、ＨＤＤ７およびＤＶＤドライブ８の起動完了を待たずに「見た目パワーオン」処理を完了し、記録再生装置１が電源「入」状態となって直ちに録画指示が来た場合において、ＨＤＤ７およびＤＶＤドライブ８起動中においても録画を開始し、ＨＤＤ７およびＤＶＤドライブ８の起動が完了するまでの間は、例えば半導体メモリ等のバッファメモリに蓄積しておくようにしてもよい。
【００６７】
また、ＨＤＤ７およびＤＶＤドライブ８の停止を、「見た目パワーオフ」から電源「切」への遷移時における、メインコントローラ２のシャットダウン処理（図９のＳ６２）で実施すると説明した。しかし、電源「入」から「見た目パワーオフ」への遷移時における、「見た目パワーオフ」処理（図５のＳ１７）において実施してもよい。すなわち、ＨＤＤ７およびＤＶＤドライブ８を、記録再生装置１が電源「入」の状態においてのみ起動状態とし、電源「切」および「見た目パワーオフ」状態においては、ＨＤＤ７およびＤＶＤドライブ８が停止状態となるよう制御してもよい。とくに先述したように、ＨＤＤ７およびＤＶＤドライブ８の起動中においても録画を開始し、ＨＤＤ７およびＤＶＤドライブ８の起動が完了するまでの間は、例えば半導体メモリ等のバッファメモリに蓄積することにより、記録再生装置１の高速なパワーオン動作の効果は失われない。このように実施することにより、「見た目パワーオフ」中でも、ＨＤＤ７やＤＶＤドライブ８を停止させておくことができるため、ＨＤＤ７およびＤＶＤドライブ８の消費電力を低減することができる。
【００６８】
また、本実施の形態では、外部入力部３１を介して入力したテレビ装置１１のモニタ出力部１１１からの出力信号を用いて、テレビ装置１１の電源の「入」／「切」の状態を判定したが、他の信号を用いてその判定を行っても良い。例えば、リモコン１２にテレビ用電源ボタンを設け、このテレビ用電源ボタンのリモコン信号を記録再生装置１のＩＲ入力部３２で受信し、その受信した信号に基づいてテレビ装置１１の電源状態を判定してもよい。これにより、外部入力部３１をテレビ装置１１に接続しなくても同様に実施することができる。また、テレビ装置１１にＩＲ出力部１１３を設けてもよい。テレビ装置１１の電源状態に関する情報を含む信号をＩＲ出力部１１３から送信し、記録再生装置１のＩＲ入力部３２で受信し、その受信した信号に基づいてテレビ装置１１の電源状態を判定してもよい。このようにＩＲを用いてテレビ装置１１と、記録再生装置１とを連動させることにより、本実施の形態のような電源制御のみにとどまらず、録画予約や、入力切替など、互いの機器の制御を連動して動作させることも可能である。
【００６９】
また、記録再生装置１の電源状態を連動する装置はテレビ装置にかぎらない。モニタ出力部を備えた装置、リモコンを有する装置、又はＩＲ信号送出機能がある装置であれば他のものでもよい。
【００７０】
（実施の形態２）
本発明の実施の形態２について図１１を参照して説明する。図１１に示す記録再生装置１は、図１に示す構成に加えてネットインタフェース部１３をさらに備える。ネットインタフェース部１３は、タイマコントローラ３と同様に、電源部４および電池６から電源が供給される。特に電源部４が停電の場合に電池６から電源が供給される。また、ネットインタフェース部１３は、通信手段１０と接続されており、タイマコントローラ３およびメインコントローラ２と通信することができる。
【００７１】
テレビ装置１１は、ネットインタフェース部１３と接続するネット接続部１１４を備える。ネット接続部１１４は、ネットインタフェース部１３と通信可能であり、これによりテレビ装置１１と記録再生装置１との間の通信処理が可能となる。その他の構成については実施の形態１の図１の構成について説明したものと同様である。
【００７２】
テレビ装置１１は、ネット接続部１１４を介してテレビ装置１１の電源状態に関する情報、すなわち「切」から「入」への遷移、または「切」から「入」への遷移、および「入」状態、等の電源情報を記録再生装置１のネットインタフェース部１３に送信する。
【００７３】
一方、記録再生装置１は、ネットインタフェース部１３から受信または検出したテレビ装置１１の電源情報を用いて、記録再生装置１の電源状態を制御する。
【００７４】
記録再生装置１が電源「切」の状態のとき、テレビ装置１１の電源が「切」から「入」への切り替わると、ネットインタフェース部１３は、その切り替わりを、受信した電源情報から検出し、タイマコントローラ３へ「見た目パワーオフ」へ遷移するよう通知する。実施の形態１の図６のフローチャートにおいて、ステップＳ４０の処理を上記の処理で置換することで、実施の形態１の場合と同様の制御が実施できる。
【００７５】
記録再生装置１が「見た目パワーオフ」状態のとき、テレビ装置１１の電源が「入」から「切」に切り替わると、ネットインタフェース部１３は、その切り替わりを、受信した電源情報から検出し、タイマコントローラ３へ電源「切」へ遷移するよう通知する。実施の形態１の図８のフローチャートにおいて、ステップＳ６０の処理を上記の処理で置換することで、実施の形態１の場合と同様の制御が実施できる。
【００７６】
記録再生装置１が電源「入」状態のとき、テレビ装置１１の電源が「入」状態のとき、ネットインタフェース部１３は、電源「入」状態を、受信した電源情報から検出し、タイマコントローラ３に対し、「見た目パワーオフ」へ遷移するよう通知する。実施の形態１の図５のフローチャートにおいて、ステップＳ１１、Ｓ１２の処理を上記の処理で置換することで、実施の形態１の場合と同様の制御が実施できる。
【００７７】
また、記録再生装置１が電源「入」状態のとき、テレビ装置１１の電源が「切」状態のとき、ネットインタフェース部１３は、電源「切」状態を、受信した電源情報から検出し、タイマコントローラ３に対し、電源「切」の状態へ遷移するよう通知する。実施の形態１の図５のフローチャートにおいて、ステップＳ１１、Ｓ１２の処理を上記の処理で置換することで、実施の形態１の場合と同様の制御が実施できる。
【００７８】
以上説明したように、ネットインタフェース部１３およびネット端子部１１４を設けることにより、実施の形態１で説明したのと同様の効果を得ることが可能である。なお、ネットインタフェース部１３およびネット端子部１１４は、例えばイーサーネットであってもよいし、ＩＥＥＥ１３９４であってもよい。またＨＤＭＩ（High Definition Multimedia Interface）であっても良い。その他、モデム手段やあるいは、シリアル通信、赤外線通信、無線通信、電力線通信、同軸ケーブル通信等の種々の通信手段であっても良い。要はテレビ装置１１と通信可能な手段であれば任意のものが利用できる。
【００７９】
またネットインタフェース部１３は、電源部４に供給されている商用電源を伝送路としたネットワークであってもよい（電力線通信）。また、記録再生装置１の電源状態と連動させる機器はテレビ装置１１に限定されない。ネットワークに接続可能な機器であれば任意のものが利用できる。
【００８０】
通信手段がＨＤＭＩの場合、ＣＥＣ（Consumer Electronic Control）を利用できる。このときＣＥＣの信号はネットインタフェース部１３を経由せずにタイマコントローラ３へ直接、接続されてもよい（ＨＤＭＩのコネクタ部分のみ経由する）。
【００８１】
このようにネットインタフェース部１３等の通信手段を用いて機器間で連携して制御することにより、複数の機器にまたがって、前述した実施の形態のような電源制御、録画予約、入力切替などさまざまな機器制御も同様に実施可能になる。
【００８２】
（実施の形態３）
本発明の実施の形態３について図１２を参照して説明する。図１２に示す記録再生装置１は、図１に示す構成において、外部入力部３１に代えて、タイマコントローラ３に接続する照度検出部３３を備える。照度検出部３３は照度を検出する照度センサを有する。
【００８３】
図１２は、記録再生装置１とともに照明器具１４を示す。照明器具１４は、記録再生装置１を設置した部屋の照明装置として取り付けられている。照明器具１４の電源は、通常、その部屋に人が入室して使用する場合に「入」にされ、人がその部屋を退出する場合は「切」にされる。
【００８４】
記録再生装置１の照度検出部３３は、照明器具１４の電源の「入」または「切」を検出し判定することができる。照明器具１４の電源の「入」または「切」を、実施の形態１で説明したテレビ装置１１の電源の「入」または「切」に置き換えることにより、記録再生装置１を実施の形態１の場合と同様に動作させることができる。
【００８５】
すなわち、照明器具１４が「入」であるときは、記録再生装置１のパワーオン動作を高速に遷移させることができ、また、照明器具１４が「切」であるときの記録再生装置１の待機電力を「見た目パワーオフ」状態よりも小さくすることが可能である。
【００８６】
多くの場合、記録再生装置１を使用するとき、記録再生装置１が設置された室内の照明を明るくすることが考えられ、ユーザが記録再生装置１を操作または使用するときは、高速なパワーオン動作が要求されると考えられる。また、消費電力についても、照明器具１４が１日あたり８時間程度「入」であるとした場合、１日のうち約８時間だけ２７ワットの消費電力を消費し、残りの１６時間の消費電力は３．２ワットとなると仮定すると、１日の平均の消費電力は約１１．１ワットとなる。つまり従来高速なパワーオン動作を実施することにより消費電力が２７ワットとなってしまうところが、本実施の形態によれば１１．１ワットに抑えるとこが可能である。なお、本実施の形態では、照明器具１４の「入」、「切」に記録再生装置１の電源制御を連動させると説明したが、他の電気機器に連動させてもよい。例えば、ルームエアコン、こたつ、ストーブ等に連動させてもよい。この場合、照度検出部の代わりに温度検出部または他のセンサを用いても良いし、実施の形態２で説明したような通信手段を利用してもよい。このように、本実施形態によれば、適切なセンサを設けることにより、外部機器として照明器具などの家庭電化器具を利用することもできる。
【００８７】
（実施の形態４）
本発明の実施の形態４について説明する。本実施の形態の記録再生装置の構成は図１に示すものと同様である。但し、本実施の形態では、外部入力部３１やモニタ出力部１１１、ＩＲ出力部１１３は必ずしも必要ではない。
【００８８】
前述の実施形態では、電源「切」状態から「見た目パワーオフ」状態への遷移、及び「見た目パワーオフ」状態から電源「切」状態への遷移について、これまで他の機器の電源の状態に連動して制御する例について説明した。本実施の形態では、ユーザが記録再生装置１をオン・オフする時刻を学習し、その学習した時刻に基づいて「見た目パワーオフ」状態の開始時刻または終了時刻を設定する。記録再生装置１は、設定した開始時刻または終了時刻にしたがい自己の電源状態を自動的に遷移させる。
【００８９】
記録再生装置１の学習について説明する。例えば、ユーザによりリモコン１２または記録再生装置本体の電源ボタンが押下され、パワーオン（見た目パワーオフから電源「入」への遷移を含む）されたときに、パワーオン時刻が学習され、また、パワーオフ（電源「入」から見た目パワーオフへの遷移を含む）されたときに、パワーオフ時刻が学習される。学習方法には、統計的な処理等、種々の方式が考えられる。例えば、単純にパワーオン時刻およびパワーオフ時刻のヒストグラムを集計し、もっとも多い分布の時刻を用いてもよいし、または集計した時刻を平均してもよい。または、最新（最後）に操作された時刻を、パワーオン時刻およびパワーオフ時刻の学習値に設定してもよい。
【００９０】
記録再生装置１は、図１３（ａ）に示すように、学習したパワーオン時刻からパワーオフ時刻までの時間帯Ａと、学習したパワーオフ時刻からパワーオン時刻までの時間帯Ｂとを設定する。時間帯Ａは記録再生装置１が使用されている確率が高い時間帯であり、高速起動が望まれる時間帯である。一方、時間帯Ｂは記録再生装置１が使用されていない確率が高い時間帯であり、省電力待機が望まれる時間帯である。また、記録再生装置１は、学習したパワーオン時刻を見た目パワーオフ状態の開始時刻に設定し、学習したパワーオフ時刻を見た目パワーオフ状態の終了時刻に設定する。
【００９１】
記録再生装置１のタイマコントローラ３は、現在時刻が時間帯Ａか時間帯Ｂかを判断し、現在時刻の属する時間帯に依存して図１３（ｂ）ように電源状態を遷移させる。すなわち、時簡帯Ａにおいて、ユーザから特に操作がないときは、記録再生装置１は「見た目パワーオフ」状態に制御され、ユーザによるパワーオンとパワーオフの操作があると、電源「入」と「見た目パワーオフ」の間を遷移する。一方、時間帯Ｂにおいては、ユーザによるパワーオンとパワーオフの操作にしたがい、電源「入」と電源「切」の間を遷移する。
【００９２】
ユーザ操作がない場合で、電源「切」状態において、現在時刻が学習したパワーオン時刻に達すると、記録再生装置１は自動的に「見た目パワーオン」状態へ移行する。逆に、「見た目パワーオフ」の状態において、ユーザ操作が無い場合で、現在時刻が学習したパワーオフ時刻に達すると、記録再生装置１は自動的に電源「切」状態へ移行する。
【００９３】
図１４を参照し、電源「切」状態から「見た目パワーオフ」状態への遷移について説明する。
【００９４】
記録再生装置１の初期状態（すなわちユーザが購入して設置直後の状態）では、「見た目パワーオフ」状態の開始時刻および終了時刻の情報は所有していない。したがって、初めて使用する場合は、リモコン１２または装置本体の電源ボタンが押されると実施の形態１の図４で説明したシーケンスにしたがって起動し、電源「入」状態となり、また、電源「入」状態で、リモコン１２または装置本体の電源ボタンが押されると実施の形態１の図５で説明したシーケンス（ステップＳ１０〜Ｓ１５）にしたがって終了し、電源「切」状態となる。ただし図５のステップＳ１１、Ｓ１２の処理は行わない。
【００９５】
このようにユーザにより最初の電源「入」および「切」動作が実施されると、記録再生装置１のタイマコントローラ３は、その時刻を学習し、その学習したパワーオン時刻を「見た目パワーオフ」の開始時刻に設定し、学習したパワーオフ時刻を「見た目パワーオフ」の終了時刻に設定する。このようにして、最初の学習動作が実行される。その後の動作は図１４を参照し、以下のようになる。
【００９６】
記録再生装置１が電源「切」の状態にあるときは、見た目パワーオフ開始時刻判定を行う（Ｓ８０）。この判定では、現在時刻が、開始時刻から終了時刻の間の範囲（すなわち、時間帯Ａ）内にあるか否かを判定する。時間帯Ａ内にあるときは、見た目パワーオフ状態へ遷移させるためにスイッチ５をオンにする（Ｓ８１）。以降のステップＳ８１からＳ８４の処理は、実施の形態１で説明した図６のステップＳ４１からＳ４４の処理と同様である。
【００９７】
次に図１５にもとづいて「見た目パワーオフ」状態から電源「切」状態への遷移について説明する。
【００９８】
「見た目パワーオフ」状態にあるときは、見た目パワーオフ終了時刻判定が行われる（Ｓ９０）。この判定では、現在時刻が、開始時刻から終了時刻の間の範囲（時間帯Ａ）外にあるとき、すなわち、現在時刻が時間帯Ｂにあるか否かを判定する。現在時刻が時間帯Ｂにある場合、電源「切」状態へ遷移させるために、タイマコントローラ３はメインコントローラ２へパワーオフ通知を行う（Ｓ９１）。以降のステップＳ９１からＳ９４の処理は、実施の形態１で説明した図８のステップＳ６１からＳ６３の処理と同様である。その後タイマコントローラ３は、次回の見た目パワーオフ開始時刻をセットする（Ｓ９２）。
【００９９】
以上のようにして、記録再生装置は、学習したパワーオン時刻とパワーオフ時刻に基づき自動的に電源「切」状態と「見た目パワーオフ」状態との遷移を行う。
【０１００】
以上説明したように本実施の形態によれば、パワーオンまたはパワーオフの時刻を学習することにより、外部機器と連動させることなく、記録再生装置１が自ら電源状態を変化させることが可能である。なお、本実施の形態の記録再生装置１において、録画予約開始時刻または終了時刻は学習の対象外とする。学習の対象は、ユーザによるパワーオン、パワーオフ操作に関連する他の操作であってもよい。
【０１０１】
（実施の形態５）
本発明の実施の形態５について図１６を参照して説明する。本実施形態のシステム構成は基本的に図１に示した構成と同様である。但し、本実施の形態では、記録再生装置はチューナ９の代わりにデジタルチューナを内蔵し、テレビ装置もデジタルチューナを内蔵する。
【０１０２】
図１６に本実施形態のメインコントローラの詳細な構成を示す。メインコントローラ２はデジタルチューナ１５に接続し、図１に示す構成におけるデジタル変換部２０６とエンコーダ２０５の代わりに、デスクランブル部２１０とパーシャル部２１１を備える。
【０１０３】
デジタルチューナ１５は、デジタル放送波を受信し、所望のチャンネルを選局し、復調する。復調された信号は放送のスクランブルがかかった状態のトランスポートストリームである。デスクランブル部２１０はデジタルチューナ１５から出力されるトランスポートストリームのスクランブルを解除（デスクランブル）する。パーシャル部２１１は、デスクランブル部２１０でデスクランブルされたトランスポートストリームからいくつかの必要なストリームのみを抽出する（この抽出処理を「パーシャル化」と称す。）。ストリーム制御部２０７はパーシャル化されたストリームを制御し、ＨＤＤ７およびＤＶＤドライブ８に蓄積または読み出しを行う。なお、その他の構成２０１〜２０９は図２に示すものと同様である。
【０１０４】
本実施形態のテレビ装置１１はデジタル放送を受信するデジタルチューナを内蔵している。デジタル放送では、放送を受信する家電機器を制御するソフトウェアをバージョンアップ（更新）する手段として、各機器に対応したソフトウェアを配信し、各機器がこれを受信し、自己のソフトウェアをバージョンアップする仕組みが存在する。本実施形態のテレビ装置１１も同様にその仕組みを搭載している。また、本実施形態の記録再生装置１も同様にその仕組みを搭載している。
【０１０５】
しかしながら、デジタル放送により各機器に対応したソフトウェアを配信する場合、これを受信する側の各機器は常に自己のソフトウェアが配信されるか否かを監視または検出する必要がある。このため、例えば、記録再生装置１においては、デジタルチューナ１５からの受信内容を常に監視するために、記録再生装置１の電源状態が「切」であっても、メインコントローラ２を常時動作させ続けなければならないという問題がある。この場合、記録再生装置１等の機器の待機中の消費電力が大きくなる。特にデジタル放送を受信する複数の機器が存在する場合、その全ての機器が常時通電状態で待機しているとすると、それらの機器においての合計の消費電力が非常に大きくなってしまう。
【０１０６】
本実施の形態は上記の課題を解決するものであり、ソフトウェアの自動バージョンアップ機能を有する機器において待機時の消費電力を低減するものである。以下、その詳細について記録再生装置１を例に説明する。
【０１０７】
デジタル放送においては、バージョンアップ用のソフトウェアの配信時刻を通知する予告情報がトランスポートストリーム上に重畳されて送信される。テレビ装置１１はこの予告情報を受信することで、ソフトウェアを取得すべき時間を事前に認識できる。
【０１０８】
テレビ装置１１は、記録再生装置１に対応したソフトウェアの配信時刻を予告情報から認識し、その配信時刻の所定時間前になったときに、モニタ出力部１１１から現在受信中の映像音声を出力する。その映像音声出力はタイマコントローラ３の外部入力部３１に入力される。その後、実施の形態１で説明した図６のステップＳ４０以降の手順にしたがい、記録再生装置１は電源「切」の状態であった場合、「見た目パワーオフ」状態へと遷移する。それ以降、記録再生装置１のメインコントローラ２は通電状態となるので、記録再生装置１は、自己に対応したソフトウェアが放送から配信される直前になったことを検出でき、自己に対応したソフトウェアの配信開始とともに、直ちに受信を開始でき、確実なソフトウェアのバージョンアップが可能となる。このとき、記録再生装置１は、ソフトウェアの配信が開始される直前までは、電源「切」の状態に制御され得るため、ソフトウェア受信のために常時、電源「入」の状態に制御される必要がないため、待機電力の低減が図れる。
【０１０９】
このように本実施形態では、ソフトウェアのバージョンアップのためのダウンロードにおいて、テレビ装置などからのダウンロード直前において、記録再生装置の電源「切」状態から「見た目パワーオフ」状態へ遷移させることで、不定期なダウンロードにも対応でき、なおかつ待機中の消費電力も低減できる。
【０１１０】
なお、テレビ装置１１はソフトウェアの配信終了後の所定時間経過後（すなわち、ソフトウェアのバージョンアップ処理に要する時間経過後）に、その映像、音声出力を停止するようにしてもよい。これにより、記録再生装置１はソフトウェアのバージョンアップ終了後に、電源「切」状態に制御されるため、待機電力が低減される。
【０１１１】
また、本実施形態においても、記録再生装置１を見た目パワーオフにするためのトリガとして、モニタ出力部１１１からの映像音声信号の代わりに、実施の形態１および実施の形態２で説明したように、例えばＩＲ出力部１１３による通知、あるいは、ネットインタフェース部１３による通知を用いてもよい。
【０１１２】
またテレビ装置１１は記録再生装置１についてのソフトウェアの配信のみならず、テレビ装置１１自身のソフトウェアや、テレビ装置１１に接続されている又は登録されている他の機器のソフトウェア配信についても、その配信予告情報を検出することで、他の機器に対しても見た目パワーオフに制御するように実施してもよい。このようにすることで、他の機器についても、放送から配信されるソフトウェアを受信するために常時機器のメインコントローラが通電状態でなくても、バージョンアップをすることが可能になり、機器群全体として、消費電力を抑えることが可能である。
【０１１３】
以上のように、本実施の形態によれば，放送から各機器に対応したソフトウェアを配信する場合、テレビ装置がこれを検出し、各機器を見た目パワーオフ状態にするよう通知することにより、機器群の待機電力を抑えることができる。
【０１１４】
（その他）
実施の形態１では、電源「切」状態での待機モードとして、通常の電源「切」状態とは別に「見た目パワーオフ」状態の待機モードを用意し、電源「切」状態と「見た目パワーオフ」状態の切り替えを、外部機器（例えばテレビ装置）に連動させて遷移させた。これにより、電源起動の高速化と、待機中の消費電力の低減の両立について説明した。特に外部機器との連動方法において、外部機器の映像または音声出力に連動する方法や、外部機器をコントロールするリモコンの信号に連動する方法、外部機器からＩＲ信号を出力することにより連動する方法、などにより実施可能であることについて説明した。
【０１１５】
実施の形態２では、ネットインタフェース部１３を設けることにより、外部機器と連動する方法について説明した。実施の形態３では、外部機器として照明器具を例にとり、照度検出部（照度センサ）３３を用いて連動する方法について説明した。実施の形態４では、電源「切」状態と「見た目パワーオフ」状態との状態遷移の切り替えを機器のパワーオンまたはパワーオフの時刻を学習して、外部機器と連動することなく自ら状態を変化させる例について説明した。実施の形態５では、デジタルチューナ１５を内蔵し、ソフトウェアのバージョンアップのためのダウンロードにおいて、テレビ装置などからダウンロード直前において、電源「切」状態から「見た目パワーオフ」状態へ遷移させることで、不定期なダウンロードへの対応と待機中の消費電力の低減の両立について説明した。
【０１１６】
以上説明した本発明の各実施の形態においてＤＶＤドライブの代わりにＢＤ（Blu-ray Disc）ドライブを用いてもよい。また、ＨＤＤおよびＤＶＤドライブ（またはＢＤドライブ）は、「見た目パワーオフ」状態のときに必ずしも起動していなくてもよい。すなわち、ＨＤＤおよびＤＶＤドライブ（またはＢＤドライブ）が停止状態であっても、録画や再生指示がきた時点で起動すればよい。また、ＨＤＤおよびＤＶＤドライブ（またはＢＤドライブ）は単に起動停止状態であっても良いし、ＨＤＤおよびＤＶＤドライブ（またはＢＤドライブ）への電源供給までも停止して実施してもよい（電源供給を停止したほうがより消費電力を低減する効果がある）。
【０１１７】
さらに録画指示の場合、録画データを一時的に半導体メモリに記録しておくことにより、ＨＤＤおよびＤＶＤドライブ（またはＢＤドライブ）が起動するまでの間の録画データをバックアップしておくようにしてもよい。
【０１１８】
また、上記実施の形態１、２等において、テレビ装置と記録再生装置との組み合わせを例にして説明したが、これにかぎらない。他のＡＶ機器間による連携動作であってもよい。また２つ以上の機器による連携であってもよい。例えばテレビ装置が複数の記録再生装置やＡＶ機器の電源の待機モードを制御してもよい。また、実施の形態３では、照明器具と記録再生装置との組み合わせの例を説明したが、他の家電機器とＡＶ機器間であってもよい。また、複数のＡＶ機器が家電機器と連動してもよい。要するに、一つのＡＶ機器が第１及び第２の待機モードを有し、他のＡＶ機器からの出力に基づいてその一つのＡＶ機器の待機モードの切替えが制御される関係にあれば、ＡＶ機器の種類は問わない。本発明において、ＡＶ機器としては、上記に示した記録再生装置やテレビ装置等に限られず、例えば、デジタル放送の受信機能を有する放送受信装置等も考えられる。
【０１１９】
本発明は、特定の実施形態について説明されてきたが、当業者にとっては他の多くの変形例、修正、他の利用が明らかである。それゆえ、本発明は、ここでの特定の開示に限定されず、添付の請求の範囲によってのみ限定され得る。なお、本出願は日本国特許出願、特願２００５−１１４１４０号（２００５年４月１２日提出）に関連し、それらの内容は参照することにより本文中に組み入れられる。
【産業上の利用可能性】
【０１２０】
本発明は、テレビ放送等を予約録画可能なハードディスクレコーダやＤＶＤレコーダ等のＡＶ機器において、高速な電源起動を実現しつつ待機電力を低減するような用途に利用できる。
【図面の簡単な説明】
【０１２１】
【図１】本発明の記録再生装置とテレビ装置との接続を含めたシステム全体の構成図
【図２】本発明の記録再生装置におけるメインコントローラ２の構成図
【図３】本発明の記録再生装置の電源「切」、「見た目パワーオフ」、電源「入」の各状態間の遷移を示す図
【図４】本発明の記録再生装置の電源「切」状態から電源「入」状態への遷移における処理手順を示す図
【図５】本発明の記録再生装置の電源「入」状態から、電源「切」状態または見た目パワーオフ状態への遷移における処理手順を示す図
【図６】本発明の記録再生装置の電源「切」状態から「見た目パワーオフ」状態への遷移における処理手順を示す図
【図７】本発明の記録再生装置の「見た目パワーオフ」状態から電源「入」状態への遷移における処理手順を示す図
【図８】本発明の記録再生装置の「見た目パワーオフ」状態から電源「切」状態への遷移における処理手順を示す図
【図９】本発明の記録再生装置の電源「切」状態から予約録画開始までの遷移における処理手順を示す図
【図１０】本発明の記録再生装置の予約録画実行中から電源「切」状態への遷移における処理手順を示す図
【図１１】本発明の実施の形態２における記録再生装置とテレビ装置との接続を含めたシステム全体の構成図
【図１２】本発明の実施の形態３における記録再生装置のシステム全体の構成図
【図１３】本発明の実施の形態４における記録再生装置の電源「切」、「見た目パワーオフ」、電源「入」の各状態間の遷移を示す図
【図１４】本発明の実施の形態４における記録再生装置の電源「切」状態から「見た目パワーオフ」状態への遷移における処理手順を示す図
【図１５】本発明の実施の形態４における記録再生装置の「見た目パワーオフ」状態から電源「切」状態への遷移における処理手順を示す図
【図１６】本発明の実施の形態５における記録再生装置のメインコントローラの構成図
【符号の説明】
【０１２２】
１    記録再生装置
２    メインコントローラ
３    タイマコントローラ
４    電源部
５    スイッチ
６    電池部
７    ＨＤＤ
８    ＤＶＤドライブ
９    チューナ
１０    通信手段
１１    テレビ装置
１２    リモコン
１３    ネットインタフェース（Ｉ／Ｆ）
１４    照明器具
１５    デジタルチューナ
３１    外部入力部
３２    ＩＲ入力部
３３    照度検出部
１１１    モニタ出力
１１２    ビデオ入力部
１１３    ＩＲ出力部
１１４    ネット端子部
【図１】
0004437154.tif 000002
【図２】
0004437154.tif 000003
【図３】
0004437154.tif 000004
【図４】
0004437154.tif 000005
【図５】
0004437154.tif 000006
【図６】
0004437154.tif 000007
【図７】
0004437154.tif 000008
【図８】
0004437154.tif 000009
【図９】
0004437154.tif 000010
【図１０】
0004437154.tif 000011
【図１１】
0004437154.tif 000012
【図１２】
0004437154.tif 000013
【図１３】
0004437154.tif 000014
【図１４】
0004437154.tif 000015
【図１５】
0004437154.tif 000016
【図１６】
0004437154.tif 000017